(57)【要約】      （修正有）【課題】個人商店においても購入情報を一元管理することが可能な仕組みを提供する。【解決手段】ユーザにより登録されたサイトの一覧と、当該サイトにおける商品購入履歴に関する情報が表示される画面を表示し、表示された画面を介して、ユーザから商品購入指示を受け付け、商品購入指示に従い、商品購入指示を外部サイトに送信する。商品購入履歴に関する情報には、商品購入限度額と残額とを含む。【選択図】図１
2015127866.tif 000002
【特許請求の範囲】
【請求項１】
ユーザにより登録されたサイトの一覧と、当該サイトにおける商品購入履歴に関する情報が表示される画面を表示する表示手段と、
前記表示手段により表示された画面を介して、ユーザから商品購入指示を受け付ける受付手段と、
前記受付手段により受け付けた商品購入指示に従い、商品購入指示を外部サイトに送信する送信手段と、
を備え、
前記表示手段により表示される画面に含まれる前記商品購入履歴に関する情報には、商品購入限度額と残額とを含むことを特徴とする情報処理装置。
【請求項２】
前記表示手段により表示された画面におけるサイト一覧の選択を受け付けるサイト選択受付手段と、
前記サイトへログインするための情報を記憶する記憶手段と、
前記サイト選択受付手段により選択されたサイトに対して、前記記憶手段に記憶された情報に従いログインするログイン手段と、
を備えることを特徴とする請求項１に記載の情報処理装置。
【請求項３】
情報処理装置の表示手段が、ユーザにより登録されたサイトの一覧と、当該サイトにおける商品購入履歴に関する情報が表示される画面を表示する表示工程と、
前記情報処理装置の受付手段が、前記表示工程により表示された画面を介して、ユーザから商品購入指示を受け付ける受付工程と、
前記情報処理装置の送信手段が、前記受付工程により受け付けた商品購入指示に従い、商品購入指示を外部サイトに送信する送信工程と、
を備え、
前記表示工程により表示される画面に含まれる前記商品購入履歴に関する情報には、商品購入限度額と残額とを含むことを特徴とする情報処理方法。
【請求項４】
情報処理装置において実行可能なプログラムであって、
前記情報処理装置を、
ユーザにより登録されたサイトの一覧と、当該サイトにおける商品購入履歴に関する情報が表示される画面を表示する表示手段と、
前記表示手段により表示された画面を介して、ユーザから商品購入指示を受け付ける受付手段と、
前記受付手段により受け付けた商品購入指示に従い、商品購入指示を外部サイトに送信する送信手段として機能させ、
前記表示手段により表示される画面に含まれる前記商品購入履歴に関する情報には、商品購入限度額と残額とを含むことを特徴とするプログラム。
【発明の詳細な説明】
【技術分野】
【０００１】
本発明は、情報処理装置、情報処理方法、プログラムに関する。
【背景技術】
【０００２】
大手企業・中堅企業においては、受注業務や発注業務においてＥＤＩシステムの導入が進んでいる。これに対して、個人商店や小さな会社においては、大手・中堅企業に比べてＥＤＩシステムの導入が進んでいない現状がある。
【０００３】
例えば、個人で飲食店を開いている場合について考えると、食材については定期的に肉屋、魚屋、八百屋などの複数の店舗から仕入れ、食器などの備品については不定期に仕入れるといったことが行われている。このように、個人商店等においては、１回あたりの量は少ないものの、必要となるものの種類は多いため、仕入先も多く、購入情報を管理することが煩雑である。
【０００４】
また、ネット通販を専門に行う業者（サイト）を介して仕入れをすることで、購入情報を一元管理できる可能性が考えられるが、それでもすべての商品がひとつのサイトで揃うとは限らず、また値段についても割高になる可能性もある。
【０００５】
特許文献１には、注文された商品に関する情報を管理するための仕組みが開示されている。
【先行技術文献】
【特許文献】
【０００６】
【特許文献１】特開２００２−１０９３３１号公報
【発明の概要】
【発明が解決しようとする課題】
【０００７】
しかしながら、上記特許文献１に記載されたシステムは工場向けの技術であり、個人商店等の小規模店舗に適用する点については記載がされていない。
【０００８】
そこで、本発明は、個人商店においても購入情報を一元管理することが可能な仕組みを提供することを目的とする。
【課題を解決するための手段】
【０００９】
本発明は、ユーザにより登録されたサイトの一覧と、当該サイトにおける商品購入履歴に関する情報が表示される画面を表示する表示手段と、前記表示手段により表示された画面を介して、ユーザから商品購入指示を受け付ける受付手段と、前記受付手段により受け付けた商品購入指示に従い、商品購入指示を外部サイトに送信する送信手段と、を備え、前記表示手段により表示される画面に含まれる前記商品購入履歴に関する情報には、商品購入限度額と残額とを含むことを特徴とする情報処理装置。
【００１０】
また、本発明は、情報処理装置の表示手段が、ユーザにより登録されたサイトの一覧と、当該サイトにおける商品購入履歴に関する情報が表示される画面を表示する表示工程と、前記情報処理装置の受付手段が、前記表示工程により表示された画面を介して、ユーザから商品購入指示を受け付ける受付工程と、前記情報処理装置の送信手段が、前記受付工程により受け付けた商品購入指示に従い、商品購入指示を外部サイトに送信する送信工程と、を備え、前記表示工程により表示される画面に含まれる前記商品購入履歴に関する情報には、商品購入限度額と残額とを含むことを特徴とする情報処理方法。
【００１１】
また、本発明は、情報処理装置において実行可能なプログラムであって、前記情報処理装置を、ユーザにより登録されたサイトの一覧と、当該サイトにおける商品購入履歴に関する情報が表示される画面を表示する表示手段と、前記表示手段により表示された画面を介して、ユーザから商品購入指示を受け付ける受付手段と、前記受付手段により受け付けた商品購入指示に従い、商品購入指示を外部サイトに送信する送信手段として機能させ、前記表示手段により表示される画面に含まれる前記商品購入履歴に関する情報には、商品購入限度額と残額とを含むことを特徴とするプログラム。
【発明の効果】
【００１２】
本発明によれば、個人商店においても購入情報を一元管理することが可能となる。
【図面の簡単な説明】
【００１３】
【図１】本発明の個人商店向けＥＤＩシステムの概念図である。
【図２】図１の個人商店向けＥＤＩシステムに適用可能な情報処理装置のハードウェア構成を示すブロック図である。
【図３】図１に示したＥＤＩシステムにおける処理の概要を示したフローチャートである
【図４】クライアント端末１５０に表示される環境設定画面の一例を示す図である。
【図５】クライアント端末１５０に表示される購入店登録画面の一例を示す図である
【図６】クライアント端末１５０に表示される購入画面の一例を示す図である。
【図７】クライアント端末１５０に表示される購入情報検索・一覧表示画面の一例を示す図である。
【図８】自動ログイン処理の内容を説明するフローチャートである
【図９】個人商店向けＥＤＩサービスシステムの管理テーブルの一例を示す図である
【図１０】購入金額の取得処理の内容を説明するフローチャートである。
【発明を実施するための形態】
【００１４】
以下、図面を参照して、本発明の実施形態を詳細に説明する。
【００１５】
図１は、本発明のＥＤＩシステムの構成の一例を示すシステム構成図である。
【００１６】
図１に示すように本発明におけるＥＤＩシステムは、サービス利用者（バイヤー・個人商店）が利用するクライアント端末１５０、サービス利用者（サプライヤー）が利用するクライアント端末１５０、各ＥＣサイト（外部サイト）１２０（ＥＣサイト１、ＥＣサイト２、ＥＣサイト３）、個人商店向けＥＤＩサービスを提供する情報処理装置１０１とから構成されている。
【００１７】
本発明においては、サービス利用者（バイヤー・個人商店）が各ＥＣサイト１２０から商品を購入する際に、個人商店向けＥＤＩサービスを経由していることを表している。
【００１８】
また、サービス利用者（サプライヤー）は個人商店向けＥＤＩシステムに広告情報を登録することにより、サービス利用者（バイヤー）に対して広告情報が配信されることを表している。
【００１９】
図２は、本発明の実施形態における情報処理装置１０１、クライアント端末１５０のハードウエア構成の一例を示した図である。
【００２０】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２１】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２２】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２３】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２４】
２０８は通信Ｉ／Ｆコントローラで、ネットワークを介して外部機器と接続・通信するものであり、ネットワークでの通信制御処理を実行する。例えば、ＴＣＰ／ＩＰを用いた通信等が可能である。
【００２５】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２６】
ハードウエア上で動作する各種プログラムは、外部メモリ２１１に記録されており、必要に応じてＲＡＭ２０２にロードされることによりＣＰＵ２０１によって実行されるものである。
【００２７】
なお、全ての装置がこれらの構成を備えているわけではなく、必要なものを備えていればよい。
【００２８】
次に、図３を用いて、本実施形態におけるＥＤＩシステムの処理の概要を説明する。
【００２９】
図３は、図１に示したＥＤＩシステムにおける処理の概要を示したフローチャートである。
【００３０】
ステップＳ３０１では、サービス利用者（バイヤー）が利用するクライアント端末１５０のＣＰＵ２０１は、ユーザからの指示に従い、情報処理装置１０１に対して、個人商店向けＥＤＩサービスの利用申請を行うべく、必要情報を送信する。
【００３１】
ステップＳ３０２では、情報処理装置１０１のＣＰＵ２０１は、ステップＳ３０１でクライアント端末１５０から送信された情報に基づき、利用者登録をする。
【００３２】
この利用者登録により、サービス利用者（バイヤー）は、ＩＤ、パスワードといった識別情報を用いることで、個人商店向けＥＤＩサービスが利用可能となる。
【００３３】
ステップＳ３０３では、クライアント端末１５０のＣＰＵ２０１は、サービス利用者（バイヤー）が個人商店向けＥＤＩサービスを利用するに当たり必要な情報を登録することを表している。詳細については図４にて説明する。
【００３４】
ステップ３０４では、クライアント端末１５０のＣＰＵ２０１は、「サービス利用者（バイヤー）」が実際に購入する各「ＥＣサイト」の登録を受け付ける。詳細については図５にて説明する。
【００３５】
ステップＳ３０５では、クライアント端末１５０のＣＰＵ２０１は、ユーザの指示により、ステップＳ３０４で登録されたＥＣサイトから商品の購入指示を受け付ける。購入処理の詳細については図６で説明する。
【００３６】
ステップＳ３０６では、各ＥＣサイトは、ステップＳ３０５で受け付けた購入指示に基づき、販売処理を行う。なお、各ＥＣサイトにおける販売処理の内容については、本発明の範囲外の処理となるため、説明は省略する。
【００３７】
ステップＳ３０７では、情報処理装置１０１のＣＰＵ２０１は、ステップＳ３０５で受け付けた購入指示に基づき、購入情報を登録する。ステップＳ３０７で登録された購入情報は、ステップＳ３０８の購入情報検索・表示処理や、ステップＳ３１１の購入情報分析処理、ステップＳ３１４の広告表示処理などで利用される。
【００３８】
ステップＳ３０８では、クライアント端末１５０のＣＰＵ２０１は、購入した履歴の検索および一覧表示を行う。詳細については、図７を用いて説明する。
【００３９】
ステップＳ３０９では、クライアント端末１５０のＣＰＵ２０１は、購入情報・購入履歴の情報に基づき、代金支払の処理を行う。
【００４０】
ステップＳ３１０では、各ＥＣサイトは、ステップＳ３０９における支払処理に応じて、入金処理を行う。
【００４１】
ステップＳ３１１では、クライアント端末１５０のＣＰＵ２０１は、購入情報の分析を行う。
【００４２】
例えば、前年同月の購入情報から今月の購入費用の予測を行うといったことや、また、「個人商店向けＥＤＩサービス」システムの「サービス提供者」に購入情報を提供し、より良い「ＥＣサイト」の紹介を受けるといったことなど考えられる。
【００４３】
また、今月に購入した金額や、ステップ３０３で登録した情報を元に、今月利用できる残高といった情報を参照することも可能である。
【００４４】
ステップＳ３１２は、サービス利用者（サプライヤー）が利用するクライアント端末１５０が、ユーザ（サプライヤー）からの指示に従い、新商品や特価情報といった広告情報をサービス利用者（バイヤー）に提供するための依頼を、情報処理装置１０１に送信する。
【００４５】
ステップＳ３１３では、情報処理装置１０１のＣＰＵ２０１は、ステップＳ３１２でクライアント端末１５０から送信された広告提供依頼に基づき、ステップＳ３０７において登録された購入履歴や、ステップＳ３０３で登録された情報をもとに、サービス利用者（バイヤー）の元に広告を配信する。
【００４６】
広告の配信手段として、ダイレクトメールや電子メール、ステップＳ３０５の購入画面に表示するなど考えられる。
【００４７】
ステップＳ３１４では、クライアント端末１５０のＣＰＵ２０１は、ステップＳ３１３で配信された広告を表示部に表示する。
【００４８】
このように広告を表示することにより、「サービス利用者（バイヤー）」はより良い商品を購入する機会が増える。また、「サービス利用者（サプライヤー）」も販売機会が増え、Ｗｉｎ−Ｗｉｎの関係になることが可能となる。
【００４９】
次に図４を用いてステップＳ３０３の環境設定について説明する。
【００５０】
図４はクライアント端末１５０の表示部に表示される環境設定画面の一例である。本画面では以下の項目を登録することが可能である。
【００５１】
利用者を登録するための「ログインＩＤ」「パスワード」といった識別情報。利用者に適切な広告を配信するために必要な利用者の情報。例として「業種」「地域」。利用者の購入情報を分析・管理するのに必要な情報。例として「締日」「限度額」。図６で説明する購入画面で使用するＥＣサイトを管理するために必要な情報。例として「リンクタブ」。図６で説明する購入画面で使用する購入した情報を管理するために必要な情報。例として「種類」。「リンクタブ」及び「種類」については追加・削除及び、並び順を変更する事が可能とする。購入情報を公開するか、非公開にするかを制御する「購入情報」。
【００５２】
これらの情報について、図４に示す画面を介して情報処理装置１０１に登録する。
【００５３】
次に図５を用いてステップＳ３０４の購入店登録処理について説明する。
【００５４】
図５はクライアント端末１５０の表示部に表示される購入店登録画面の一例である。本画面では以下の項目を登録することが可能である。
【００５５】
購入店であるＥＣサイトの「名称」、購入店であるＥＣサイトの「ＵＲＬ」、購入店であるＥＣサイトで購入する際に必要な「ユーザＩＤ」「パスワード」、「購入情報検索・一覧表示」画面で表示する「決済方法」、ＥＣサイトで特定の商品を何度も購入する場合に登録する「定番商品」。
【００５６】
これらの情報を登録することで、今後利用するＥＣサイト（購入店）の登録を行う。
【００５７】
次に図６を用いて、クライアント端末１５０の表示部に表示される購入画面について説明する。
【００５８】
図６はクライアント端末１５０の表示部に表示される購入画面の一例であり、個人商店向けＥＤＩシステムのメイン画面である。
【００５９】
本画面からステップ３０３で説明した「環境設定」画面やステップ３０４で説明した「購入店登録」画面、ステップ３０８で説明した「購入情報検索・一覧表示」画面、ステップ３１１で説明した「購入情報分析」画面に遷移することが可能である。
【００６０】
図６に示すように、本画面は大きく３つのフレームに分かれた構成となっている。
【００６１】
まず、左側の縦長の領域（６０１）には、購入サイトに飛ぶためのリンク（図６における「ＡＢＣカメラ」「ＸＹＺモール」「観音センター」「１２３マート」）と、購入サイトを追加登録するための追加ボタンとが表示されている。
【００６２】
リンクがクリックされることで、当該リンクに対応するサイト（登録されたサイト）に遷移し、当該移動先のサイトに自動でログインした状態となる。
【００６３】
なお、自動ログインの処理内容については、図８に示すフローチャートを用いて説明する。
【００６４】
また、それぞれの購入店毎に定番商品を登録している場合は、直接商品のページに遷移することが可能になる。例えば図６の例では、ＡＢＣカメラにおける「Ａ４用紙」「インク」が定番商品として登録された商品である。
【００６５】
次に、右側（中心部を占める一番大きな領域６０２）について説明する。
【００６６】
この領域には、購入サイトのページが表示される。左側の領域におけるリンクがクリックされることで、当該クリックされたリンク先のページが表示される領域である。
次に、下側の領域６０３について説明する。
【００６７】
この領域には、環境設定に遷移するボタン、購入履歴を参照するボタン、購入情報の入力エリア（購入日、購入店、種類）、メモ欄、金額が表示される。
【００６８】
なお、購入日については現在日時に従い自動で表示される。また、購入店は、領域６０２に表示されたページの店舗名が表示される。また、種類は、環境設定において登録した内容がコンボ形式で表示されるので、その中からユーザによる選択を受け付ける。金額については、自動取得され表示される。金額の自動取得処理については、図１０に示すフローチャートを用いて説明する。
【００６９】
また、スクリーンショットボタンは領域６０２に表示された内容を画像にて保存するためのボタンである。
【００７０】
次に図７を用いて、クライアント端末１５０の表示部に表示される購入情報検索・一覧表示画面について説明する。
【００７１】
図７は購入情報検索・一覧表示画面の一例である。本画面では購入した情報の検索や、購入金額の集計、当月の購入限度金額の残金を表示することが可能である。
図７の画面は大きく３つのフレームに分かれている。
まず、上部の領域７０１について説明する。
【００７２】
領域７０１には、検索条件を設定する各種入力欄が表示されている。図７の例では、購入日による検索範囲の設定、決済方法による検索、購入店による検索が可能となっている。
次に中央部の領域７０２について説明する。
【００７３】
領域７０２には、検索結果の一覧が表示される。図７の例では、２０１３年８月１日から２０１３年９月１日までに購入したもののうち、振込みによる決済をした商品が一覧で表示されている。
【００７４】
次に下部の領域７０３について説明する。領域７０３には、今月の購入額の合計を表示する欄、環境設定で指定した限度額の残金を表示する欄、領域７０２に表示された一覧の内容をＣＳＶ出力する指示を受け付けるボタン、データ分析指示を受け付けるボタンが表示される。
【００７５】
購入限度額の残金を表示する欄については、残金の額と限度額に占める残金の割合とが表示される。
【００７６】
次に、図８に示すフローチャートを用いて、自動でのログイン処理について説明する。
【００７７】
なお、図８のフローチャートで示す各処理は、情報処理装置１０１のＣＰＵ２０１が所定の制御プログラムを読み出すことで実行される処理である。また、本フローチャートに示す処理は、個人商店向けＥＤＩサービスのシステムを起動した際に開始される。
【００７８】
ステップＳ８０１では、情報処理装置１０１のＣＰＵ２０１は、初期処理としてログイン済みフラグの値を全てＯＦＦにする（未ログイン状態とする）。なお、情報処理装置１０１は登録されたＥＣサイト毎にログイン済みフラグ（ログインしているか否かを示すフラグであり、ログインした場合にＯＮとなり、ログインしていない状態ではＯＦＦとなるフラグ）を持っているものとする。
【００７９】
ステップＳ８０２では、情報処理装置１０１のＣＰＵ２０１は、購入サイトに遷移するために登録したリンク（図６に示す画面の領域６０１に表示されたリンク）に対するユーザの指示（クリック等）を受け付ける。
【００８０】
ステップＳ８０３では、情報処理装置１０１のＣＰＵ２０１は、ステップＳ８０２でクリックされたリンクのＵＲＬを取得し、当該ＵＲＬが示すサイトにログイン済みであるか否かを判定する。
【００８１】
ログイン済みである場合（ステップＳ８０３：ＹＥＳ）は、処理をステップＳ８０９に移行する。
【００８２】
ログイン済みでない場合（ステップＳ８０３：ＮＯ）は、処理をステップＳ８０４に移行する。
【００８３】
ステップＳ８０４では、情報処理装置１０１のＣＰＵ２０１は、ステップＳ８０３で取得したＵＲＬを、図９の管理テーブルのサイトＵＲＬから検索する。
【００８４】
検索の結果、一致するＵＲＬがあった場合（ステップＳ８０４：ＹＥＳ）は、「ログインＵＲＬ」「ユーザＩＤパラメータ名」「パスワードパラメータ名」の値を取得し、処理をステップＳ８０６に移行する。
【００８５】
一致するＵＲＬがなかった場合（ステップＳ８０４：ＮＯ）は、処理をステップＳ８０５に移行する。
【００８６】
ステップＳ８０５では、情報処理装置１０１のＣＰＵ２０１は、「個人商店向けＥＤＩサービス」システムの運用管理者にステップＳ８０３で取得したＵＲＬをメールで送信し、ステップＳ８０９に遷移する。
【００８７】
なお、メールを受信した運用管理者により、メールに記載されているＵＲＬが管理テーブルに登録されるものとする。
【００８８】
ステップＳ８０６では、情報処理装置１０１のＣＰＵ２０１は、ステップＳ８０２でクリックを受け付けたリンクの、購入店情報で登録されているユーザＩＤ・パスワードを取得する。
【００８９】
ステップＳ８０７では、情報処理装置１０１のＣＰＵ２０１は、ステップＳ８０５とステップＳ８０６で取得した情報を元にログイン処理を行う。
【００９０】
ログイン処理は、「ログインＵＲＬ」に「ユーザＩＤパラメータ名」に「ユーザＩＤ」をセットし、「パスワードパラメータ名」に「パスワード」をセットして送信することで行う。
【００９１】
ステップＳ８０８では、情報処理装置１０１のＣＰＵ２０１は、ステップＳ８０２でクリックを受け付けたＵＲＬのログイン済みフラグをＯＮにする。
【００９２】
ステップＳ８０９では、情報処理装置１０１のＣＰＵ２０１は、ステップＳ８０２でクリックを受け付けたＵＲＬの内容を表示する。
【００９３】
図９は、個人商店向けＥＤＩサービスシステムの管理テーブルのサンプルである。管理テーブルは、図８の自動ログイン処理、図１０の購入金額の取得の際に利用される。
【００９４】
次に図１０に示すフローチャートを用いて、購入金額の取得処理について説明する。
【００９５】
なお、図１０のフローチャートで示す処理は、情報処理装置１０１のＣＰＵ２０１が所定の制御プログラムを読み出して実行する処理である。
【００９６】
ステップＳ１００１では、情報処理装置１０１のＣＰＵ２０１は、購入サイトに遷移するために登録したリンク（図６の左側の領域６０１）がクリックされた際に、そのＵＲＬが図９に示す管理テーブルのサイトＵＲＬに登録されているかを判断する。
【００９７】
登録されている場合（ステップＳ１００１：ＹＥＳ）は、検索結果から「決算ページＵＲＬ」「決算金額パラメータ名」の値を取得し、処理をステップＳ１００３に移行する。
【００９８】
登録されていない場合（ステップＳ１００１：ＮＯ）は、処理をステップＳ１００２に移行する。
【００９９】
ステップＳ１００２では、情報処理装置１０１のＣＰＵ２０１は、「個人商店向けＥＤＩサービス」システムの運用管理者にステップＳ１００１で取得したＵＲＬをメールで送信し、本フローチャートに示す処理を終了する。
【０１００】
なお、メールを受信した運用管理者により、メールに記載されているＵＲＬが管理テーブルに登録される。
【０１０１】
ステップＳ１００３では、情報処理装置１０１のＣＰＵ２０１は、ステップＳ１００１で取得した「決算ページＵＲＬ」と図６の右側フレーム（領域６０２）で表示されているページのＵＲＬが同じであるか判定する。
【０１０２】
同じ場合（ステップＳ１００３：ＹＥＳ）は、処理をステップＳ１００５に移行する。
【０１０３】
違う場合（ステップＳ１００３：ＮＯ）は、処理をステップＳ１００４に移行する。
【０１０４】
ステップＳ１００４では、情報処理装置１０１のＣＰＵ２０１は、領域６０２に表示されたページが遷移するまで待機し、遷移した場合は処理をステップＳ１００３に移行する。
【０１０５】
ステップＳ１００５では、情報処理装置１０１のＣＰＵ２０１は、ステップＳ１００１で取得した「決算金額パラメータ名」を使用し、現在表示している画面の決算金額を取得し、ステップＳ１００６に遷移する。
【０１０６】
ステップＳ１００６では、情報処理装置１０１のＣＰＵ２０１は、ステップＳ１００５で取得した金額を図６の下側フレーム（領域６０３）の「金額」にセットする。
そして本フローチャートの処理を終了する。
【０１０７】
以上の処理により、個人商店等を営むユーザは、食料品や備品などをＥＣサイトから購入する際、よく使うＥＣサイトを登録しておくことが可能となり、多数のＥＣサイトを使う場合であっても、利便性が向上する。
【０１０８】
また、ログインが必要なＥＣサイトの場合であっても、ログインに必要な情報（ユーザＩＤやパスワード、各種パラメータ等）を登録することが可能なため、煩雑なログイン処理を省くことが可能となる。
【０１０９】
また、よく購入する商品のサイトを登録することが可能なため、ユーザは毎回ＥＣサイト内の商品を探す手間が省け、利便性が向上する。
【０１１０】
また、１ヶ月あたりといった期間の限度額を設定し、現時点でどれだけ使ったか（どれだけ残っているか）を確認することが可能なため、購入計画を立てる際に参考となり、利便性が向上する。
【０１１１】
また、本発明におけるプログラムは、図８、図１０の処理をコンピュータに実行させるプログラムである。なお、本発明におけるプログラムは、図８、図１０の各処理ごとのプログラムであってもよい。
【０１１２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【０１１３】
この場合、記録媒体から読み出されたプログラム自体が本発明の新規な機能を実現することになり、そのプログラムを記録した記録媒体は本発明を構成することになる。
【０１１４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１１５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１７】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１１８】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１１９】
１０１  情報処理装置
１２０  ＥＣサイト
１５０  クライアント端末
【図１】
2015127866.tif 000003
【図２】
2015127866.tif 000004
【図３】
2015127866.tif 000005
【図４】
2015127866.tif 000006
【図５】
2015127866.tif 000007
【図６】
2015127866.tif 000008
【図７】
2015127866.tif 000009
【図８】
2015127866.tif 000010
【図９】
2015127866.tif 000011
【図１０】
2015127866.tif 000012